(57)【要約】【課題】たとえ、メモリアル等で用いられたウェディングブーケ等であっても要望されるそのままのイメージ、形状を維持して、且つ、立体的に再現する。【解決手段】ボード２とマット２１とを仮接合し、押し花飾本体８の約８０％の面積の、外形の大きな、薄い、キルト綿からなる第１の弾性部材３ａを、ボード２の表面に略中央を貼着して設ける。次に、第１の弾性部材３ａの約８０％の面積の、外形の小さな、厚い、キルト綿からなる第２の弾性部材３ｂを、略中央部を貼着して設ける。その後、花材４、葉部材５、リボン６、その他の配置、貼着を行う。この際、ボード２と第１の弾性部材３ａとの間、第１の弾性部材３ａと第２の弾性部材３ｂとの間を利用して立体層３の外周方向に介装した部材を突出させながら貼着する。そして、枠部材９、ガラス板１０を設け、ボード２の裏側に乾燥剤１２を設けて押し花飾１を完成する。【選択図】図２
2007015132.tif 000002
【特許請求の範囲】
【請求項１】
ボード上に、該ボード表面から外形寸法が大きいものから順に複数の弾性部材を接合し、上記ボード表面から突出する立体層を形成する立体層形成手順と、
上記ボード表面と上記立体層とに少なくとも予め押し花処理にて形成した植物部材を配設し貼着して押し花飾本体を形成する押し花飾本体形成手順と、
を備えたことを特徴とする押し花飾の製造方法。
【請求項２】
上記押し花飾本体形成手順は、上記立体層の弾性部材と弾性部材との間と上記立体層と上記ボードとの間の少なくとも一方に上記植物部材を介装して貼着し、上記立体層の外周方向に上記介装した植物部材を突出させることを特徴とする請求項１記載の押し花飾の製造方法。
【請求項３】
上記押し花飾本体形成手順は、上記植物部材に加え、植物以外の装飾部材を貼着したことを特徴とする請求項１又は請求項２記載の押し花飾の製造方法。
【請求項４】
上記立体層を形成する複数の弾性部材は、上記ボード側の弾性部材の厚さを、上記ボードから離間した側の弾性部材の厚さよりも薄い部材とすることを特徴とする請求項１乃至請求項３の何れか一つに記載の押し花飾の製造方法。
【請求項５】
上記立体層を形成する複数の弾性部材は、キルト綿で形成したことを特徴とする請求項１乃至請求項４の何れか一つに記載の押し花飾の製造方法。
【請求項６】
上記押し花飾本体形成手順の後は、上記ボード表面の外縁部に上記押し花飾本体を囲堯する枠部材を設け、該枠部材上にガラス板を設ける枠配設手順を行うことを特徴とする請求項１乃至請求項５の何れか一つに記載の押し花飾の製造方法。
【請求項７】
上記枠配設手順の後は、上記ボードの裏面に、乾燥剤を設ける乾燥剤取付手順を行うことを特徴とする請求項６記載の押し花飾の製造方法。
【請求項８】
上記請求項１乃至請求項７の何れか一つの製造方法で製造したことを特徴とする押し花飾。
【発明の詳細な説明】
【技術分野】
【０００１】
本発明は、ブーケ等の装飾花を押し花処理して立体的に保存する押し花飾の製造方法、及び、その製造方法で製造した押し花飾に関する。
【背景技術】
【０００２】
従来より、ブーケ等の花をできるだけ自然さを残して保存するために、押し花処理して保存する様々な方法が提案され、実用化されている。
【０００３】
例えば、特開２００３−６３２００号公報では、台板上に押し花を配置して押し花飾本体を作る押し花配置工程と、この押し花配置工程で作られた押し花飾本体と、乾燥剤や脱酸素剤等の押し花保存剤を透明で防湿軟質合成樹脂材製の収納袋内に収納する収納工程と、この収納工程後に収納袋内の空気を除去すると共に、開口部を密閉する密閉工程とで構成した押し花飾の製造方法が開示されている。
【特許文献１】特開２００３−６３２００号公報
【発明の開示】
【発明が解決しようとする課題】
【０００４】
ところで、近年、メモリアル等で用いられたウェディングブーケ等においては、可能な限りそのままのイメージ、形状で保存したいというニーズが高まり、また、押し花は、通常、平面的なものとなってしまうが、立体性を有するものが望まれてきている。このようなニーズに応えるためには、上述の特許文献１のような押し花飾の製造方法では、押し花飾が収納袋内にて圧迫されるため、立体性を持たせることができないという問題がある。また、特にウェディングブーケ等では、通常、押し花としては適さない、厚手の水分を多く含む花や、花以外のリボン、パール等の装飾品が含まれることがあるため、これら全ての部材を再現して、要望通りの押し花飾を製造することが難しいという問題がある。
【０００５】
本発明は上記事情に鑑みてなされたもので、たとえ、メモリアル等で用いられたウェディングブーケ等であっても要望されるそのままのイメージ、形状を維持して、且つ、立体的に再現することができる押し花飾の製造方法、及び、その製造方法で製造した押し花飾を提供することを目的とする。
【課題を解決するための手段】
【０００６】
本発明は、ボード上に、該ボード表面から外形寸法が大きいものから順に複数の弾性部材を接合し、上記ボード表面から突出する立体層を形成する立体層形成手順と、上記ボード表面と上記立体層とに少なくとも予め押し花処理にて形成した植物部材を配設し貼着して押し花飾本体を形成する押し花飾本体形成手順とを備えたことを特徴としている。
【発明の効果】
【０００７】
本発明による押し花飾の製造方法、及び、その製造方法で製造した押し花飾は、たとえ、メモリアル等で用いられたウェディングブーケ等であっても要望されるそのままのイメージ、形状を維持して、且つ、立体的に再現することが可能となる。
【発明を実施するための最良の形態】
【０００８】
以下、図面に基づいて本発明の実施の形態を説明する。  
図１乃至図１６は本発明の実施の一形態を示し、図１は作成される押し花飾の概略構成図、図２は押し花飾作成の手順を示すフローチャート、図３は押し花飾の対象とするブーケの正面図、図４は解体され準備される花材、その他の説明図、図５はボードとマットの仮接合の説明図、図６はボード表面に第１の弾性部材を貼り合わせた説明図、図７は第１の弾性部材表面に第２の弾性部材を貼り合わせた説明図、図８は第２の弾性部材上に花材を貼着した説明図、図９はボードと第１の弾性部材との間に花材を介装し貼着する説明図、図１０は第１の弾性部材と第２の弾性部材との間に花材を介装し貼着する説明図、図１１はリボンをボード上に貼着した説明図、図１２は葉部材やその他の植物部材を貼着した説明図、図１３はパールを貼着した説明図、図１４はボードに木枠、マット、ガラス板を設ける説明図、図１５は乾燥剤の取り付けと木枠、マット、ガラス板の本接合の説明図、図１６は押し花飾を額に収納する説明図である。
【０００９】
図１において、符号１は押し花飾を示し、ボード２の表面に立体層３が設けられている。このボード２と立体層３には、予め押し花処理されたバラやラン等の花びら等の植物部材としての花材４、葉部材５、装飾部材としてのリボン６、パール７等が貼着し配設されて押し花飾本体８が構成されている。
【００１０】
ボード２は、押し花飾本体８が設けられた状態で、押し花飾本体８の美観を引き立てる色（例えば、青色）に予め着色されており、押し花飾本体８が設けられる表面側と裏面側とを連通する複数（例えば６個）の連通孔２ａが中央部分に穿設されている。
【００１１】
立体層３は、本実施の形態では２層（２段）に構成されており、押し花飾本体８の約８０％の面積の外形の大きな、薄い（例えば、３ｍｍ厚さ）、キルト綿からなる第１の弾性部材３ａがボード２の表面に略中央が貼着されている。そして、この第１の弾性部材３ａの上の段に、この第１の弾性部材３ａの約８０％の面積の外形の小さな、厚い（例えば、５ｍｍ厚さ）、キルト綿からなる第２の弾性部材３ｂが略中央部を貼着されている。
【００１２】
花材４、葉部材５は、予め依頼された花を、花びら、葉に解体して周知の押し花処理（プレスし、必要な花材のみ予め再構成処理、必要に応じた着色等の処理）されるものである。
【００１３】
リボン６、パール７等の装飾部材は、依頼されたブーケに当初より用いられていたものや、顧客の希望による追加されるものである。尚、本実施の形態のようにパール７が存在する場合、パール７は、ボード２に貼着し易いように、底面側（ボード２側）が水平に加工されたものが、或いは、加工して用いられる。
【００１４】
また、ボード２の表面の外縁部には、押し花飾本体８を囲堯する枠部材９が設けられており、この枠部材９の上面にはガラス板１０が設けられている。この枠部材９は、例えば、厚さ９ｍｍの木枠９ａ（ボード２側）と、厚さ２ｍｍのマット９ｂ（ガラス板１０側）の２部品から構成されており、ボード２、木枠９ａ、マット９ｂ、ガラス板１０の側面部が共にアルミテープ１１により固着されている。尚、必要な厚さにより枠部材９の構成は自在であり、上述の例では、（厚さ９ｍｍの木枠９ａ）＋（厚さ２ｍｍのマット９ｂ）＝１１ｍｍであるが、例えば、（厚さ３ｍｍの底上げマット）＋（厚さ３ｍｍの底上げマット）＋（厚さ２ｍｍのマット９ｂ）＝８ｍｍとしても良い。
【００１５】
更に、ボード２の裏面には、複数（例えば、１６個）の袋に分納されたシリカゲル等の乾燥剤１２が、片面接着剤付きのアルミフィルム１３にて、ボード２裏面、及び、木枠９ａに接着固定されている。
【００１６】
次に、上述の押し花飾１の具体的な製造方法を図２のフローチャートに従って説明する。尚、本実施の形態では、図３に示すようなブーケ５０を用いて押し花飾１を作成する例を説明するものであり、予め、正面、裏面、左右両側面等、様々な角度から写真撮影をしておき、元のブーケ５０のデザインを記録しておく。そして、花材、その他の配置、貼着にあたっては、常に、元のデザインを忠実に再現するように実行する。
【００１７】
まず、Ｓ１０１では、図４に示すように、花材、その他部品の作成、準備をする。すなわち、元のブーケ５０の各花を、花びら、葉に解体し、周知の押し花処理（プレスし、必要な花材のみ予め再構成処理、必要に応じた着色等の処理）をして花材４、葉部材５を、作成し、準備しておく。
【００１８】
また、元のブーケ５０に取り付けられていたリボン６、パール７等の装飾部材も準備しておく。この際、パール７等の球形の物は、予め底面側を平らにし、ボード２への貼着が容易に行えるように加工しておく（但し、パール７が存在する場合）。
【００１９】
次に、Ｓ１０２に進み、図５に示すように、ボード２とマット２１（このマット２１は押し花飾本体８を作成するための仮のマット）とをテープ等により仮に接合する。尚、ボード２には、ボード２の表面側と裏面側とを連通する連通孔２ａが予め複数個（例えば、６個）、穿設されている。
【００２０】
次いで、Ｓ１０３に進み、図６に示すように、ボード２の表面に、押し花飾本体８の約８０％の面積の、外形の大きな、薄い（例えば、３ｍｍ厚さ）、キルト綿からなる第１の弾性部材３ａを、ボード２の表面に略中央を貼着して設ける。この第１の弾性部材３ａの形状は、ラウンドブーケの場合、略円形形状に形成される。
【００２１】
次に、Ｓ１０４に進み、図７に示すように、第１の弾性部材３ａの上の段に、この第１の弾性部材３ａの約８０％の面積の、外形の小さな、厚い（例えば、５ｍｍ厚さ）、キルト綿からなる第２の弾性部材３ｂを、略中央部を貼着して設ける。尚、本実施の形態では、第１の弾性部材３ａと第２の弾性部材３ｂとを異なる厚さのもので形成しているが、押し花飾本体８によっては、同じ厚さとしても良い。
【００２２】
次いで、Ｓ１０５に進み、花材４、葉部材５、リボン６、その他の配置、貼着を行う。まず、図８に示すように、第２の弾性部材３ｂの上に、この第２の弾性部材３ｂが次第に隠れていくように、花材４を重ねるように貼着していく。
【００２３】
そして、図９に示すように、ボード２と第１の弾性部材３ａとの間にも、ピンセット２５等の道具で挟みながら花材４を介装し、貼着していく。
【００２４】
また、図１０に示すように、第１の弾性部材３ａと第２の弾性部材３ｂとの間にも、ピンセット２５等の道具で挟みながら、また、竹串２６等で第２の弾性部材３ｂや花材４をめくり上げながら、花材４を介装し、貼着していく。
【００２５】
こうして、花材４は、立体層３の外周方向に向けて突出させて設けると共に、立体層３を隠していく。
【００２６】
このように、花材４を配設していく際、ボード２と第１の弾性部材３ａとの間の１層目の花材４、第１の弾性部材３ａと第２の弾性部材３ｂとの間の２層目の花材４、第２の弾性部材３ｂの上の３層目の花材４のそれぞれに交互に花材４を配設し貼っていく。この貼着作業は、常に、元のブーケ５０のデザイン、イメージを保ちながらの作業となっており、ピンセット２５で、花材４を持ち上げたり、第１の弾性部材３ａ、第２の弾性部材３ｂを持ち上げたりしながら、逐次のりを付けながら、各層の間に挟むように、周りに花材４を配設し、貼着していく。
【００２７】
そして、基本の３層を確認しながら、軽く花材４を上から押しながら、貼着していき、更に、花材４の上に花材４を重ねて置いていく。
【００２８】
花の厚さは、ふつう１ｍｍ〜２ｍｍであるが、最初に花の高さを第１の弾性部材３ａ、第２の弾性部材３ｂ、及び、花材４とで各層を作って規定しておく。これを規定しておくことにより、ガラス板１０の面に僅かに接触するかしないか程度の高さで完成させることができ、立体感を出すことが可能となっている。
【００２９】
一方、厚い花材４は、この厚い花材４が、全体の高さを高くしてしまわないように、厚さ（高さ）の幅や、花と花との隙間に吸収されるように置いていく。
【００３０】
尚、キャスケードタイプのブーケの場合などで、花が中心から離れた距離に飛んで存在する場合は、この離れた花の下には薄い弾性部材を敷き、完成させていく。
【００３１】
そして、図１１に示すように、リボン６を、ピンセット２５と竹串２６等を使って、元のブーケ５０のデザイン、イメージを保ちながら両面テープで貼り付ける。
【００３２】
こうして、リボン６を貼着していく時においても、花材４と花材４との間、花材４と第１の弾性部材３ａとの間、花材４と第２の弾性部材３ｂの間、および各層には、さらに花材４を埋めていき、第１の弾性部材３ａ、第２の弾性部材３ｂを見えなくしていく。
【００３３】
各層の間に隙間や差が出てきた際には、どこに隙間があるかよく見て、その隙間に、軽く押さえながら花材４を埋めていく。こうして押し花飾本体８は、だんだん厚ぼったく、ぼってりとしてくる。こうした作業も、常に元のブーケ５０のデザイン、イメージを保ちながら行われる。
【００３４】
その後、図１２に示すように、上述の花材４、リボン６のほかに、葉部材５を、軽く押しながら埋めるように配設し、貼着していく。この際、薄い葉部材５は、ボード２の上（いちばん下の層）や花材４と花材４との間の層に置き、ボリューム感を作り出していく。
【００３５】
尚、この段階では、各層を、逆になくすような感じで、下の花材４が少し露出する状態として埋めていく。隙間を埋めていくということなので、層が無くなるわけではない。予め最初の段階（第１の弾性部材３ａ、第２の弾性部材３ｂ、１，２，３層目の花材４）で層を規定してあり、層としては既に形成されている。
【００３６】
また、花材４のなかで一番厚い花材は、最後までとっておく（尚、デザインの主役となる花材は、たとえ厚い花材であっても最初の手順の方で貼着してしまい、主役とならない花材のみ最後までとっておく）。上には置かない（花が沈んでしまうため）。厚い花材４は下の方に、または層と層との中間に、隙間を埋めるようにして貼着していく。
【００３７】
このようにして、全ての隙間を埋め、更に、よく見て隙間がないかどうか探し、不自然な隙間が残らないように埋めていく。表面から見て、上のほうに置かれている花材が下に沈んでいるような感じのところは、厚い花材を埋めてバランスをとる。
【００３８】
そして、図１３に示すように、パール７等の装飾部材を、花材４と花材４との間を埋めるように貼着していく。花材４の上には載せない。パール７は、依頼されたブーケ５０についていたものを、そのまま加工して使用することもある。
【００３９】
以上のように、Ｓ１０５で、花材４、葉部材５、リボン６、その他の配置、貼着を行った後は、Ｓ１０６に進み、第１のチェックを行う。
【００４０】
具体的には、机の上に押し花飾本体８が設けられているボード２を縦に持って、トントンと打ち付けて花落ちがないか確認する。こうして徹底的に点検し、余計なものがついていないか調べ、あればピンセットなどで除く。この際、ボード２についたのりがあれば、のりは光るので、専用の消しゴム等で消す。どうしても取れないような塵芥、のり等がある場合は、その上に花を載せる。また、花が外れそうな場合は、デザイナに戻し修正してもらう。
【００４１】
そして、更に、習字用の筆の他、竹串にティッシュを巻いたものや、曲がった針金の先にティッシュを巻いたもの等の道具を用いて、ボード２、押し花飾本体８の周囲などの狭雑物を取り除く。ここでも厳密にチェックした上で、問題があればデザイナに戻す。
【００４２】
次に、Ｓ１０７に進み、木枠９ａ、マット９ｂ、ガラス板１０のボード２に対するテープ等による仮接合を行う。図１４に示すように、まず、ボード２の表面の外縁部に木枠９ａを載せて仮接合し、この仮接合されたものにマット９ｂを載せて仮接合し、この仮接合されたものにガラス板１０を載せて仮接合する。尚、マット９ｂのガラス板１０側の下部中央には、好みに応じてネームプレート９ｃが設けられている。
【００４３】
次いで、Ｓ１０８に進み、シリカゲル等の乾燥剤１２を取り付ける。図１５に示すように、ボード２の裏面に、複数（例えば、１６個）の袋に分納されたシリカゲル等の乾燥剤１２を載せ、片面接着剤付きのアルミフィルム１３にて、ボード２裏面、及び、木枠９ａに接着固定する。この際、へら等を用いて、木枠９ａとの間の空気を確実に抜く。
【００４４】
次に、Ｓ１０９に進み、第２のチェックを行う。すなわち、仮止めされているガラス板１０の上から、入念にもう一度チェックする。そして、内部に毛髪等のゴミがあった場合は、ガラス板１０を浮かせ、必要に応じて特殊な工具で取り除く。
【００４５】
次いで、Ｓ１１０に進み、Ｓ１０７で仮接合しておいたボード２に対する木枠９ａ、マット９ｂ、ガラス板１０を本接合する。これは、図１５に示すように、アルミテープ１１を、木枠９ａとマット９ｂとガラス板１０とを外周を巻いて包むように貼る。この際、へら等によりアルミテープ１１の縁を強く押して空気を抜けながら貼る（長さが短い方（上下）を先に、次いで長手方向（左右）も慎重に空気を抜きながら貼る）。こうして、できるだけ押し花飾１内部の湿度が低くなるように意識しながら包んでいき、完全に密封する。尚、押し花飾１のガラス板１０側の面では、必要が有れば、アルミテープ１１の縁を、化粧裁ちする。
【００４６】
次に、Ｓ１１１に進み、図１６に示すように、予め準備された額１８の中に、押し花飾１を収納し、額１８の裏板１９を閉じて完成させる。
【００４７】
次いで、Ｓ１１２に進み、額１８に収納された押し花飾１をチェック（第３のチェック）して終了する。
【００４８】
このように本発明の実施の形態によれば、ボード２上に、ボード２の表面から外形寸法が大きいものから順に複数（２層）の弾性部材３ａ，３ｂを接合し、ボード２の表面から突出する立体層３を形成し、ボード２の表面と立体層３とに少なくとも予め押し花処理にて形成した花材４、葉部材５、リボン６、パール７を貼着し配設して押し花飾本体８を形成する。このため、圧迫されて平面的になることなく、たとえ、メモリアル等で用いられたウェディングブーケ等であっても要望されるそのままのイメージ、形状を維持して、且つ、立体的に再現することが可能である。
【００４９】
また、ボード２と第１の弾性部材３ａとの間、第１の弾性部材３ａと第２の弾性部材３ｂとの間を有効に利用して、花材４、葉部材５を介装し、貼着することにより、押し花飾本体８を、より拡がりをもった立体的な形状で仕上げることができ、要望されるそのままのイメージ、形状を維持して、立体的に再現することが可能である。
【００５０】
更に、立体層３及び花材４により確保される高さにより、リボン６、パール７等の装飾部材も容易に、元のイメージのまま配設できる。
【００５１】
尚、押し花飾１を作成するのに用いるボード２、木枠９ａ、マット９ｂ等は、全て、シリカゲル等の乾燥剤入りの収納庫に常時保管され、水分の吸収が防止されている。
【００５２】
また、本実施の形態では、ラウンドブーケを例に説明したが、リースブーケ等の他の形状のブーケや、ブーケ以外の押し花飾に対しても適用できることは云うまでもない。
【図面の簡単な説明】
【００５３】
【図１】作成される押し花飾の概略構成図
【図２】押し花飾作成の手順を示すフローチャート
【図３】押し花飾の対象とするブーケの正面図
【図４】解体され準備される花材、その他の説明図
【図５】ボードとマットの仮接合の説明図
【図６】ボード表面に第１の弾性部材を貼り合わせた説明図
【図７】第１の弾性部材表面に第２の弾性部材を貼り合わせた説明図
【図８】第２の弾性部材上に花材を貼着した説明図
【図９】ボードと第１の弾性部材との間に花材を介装し貼着する説明図
【図１０】第１の弾性部材と第２の弾性部材との間に花材を介装し貼着する説明図
【図１１】リボンをボード上に貼着した説明図
【図１２】葉部材やその他の植物部材を貼着した説明図
【図１３】パールを貼着した説明図
【図１４】ボードに木枠、マット、ガラス板を設ける説明図
【図１５】乾燥剤の取り付けと木枠、マット、ガラス板の本接合の説明図
【図１６】押し花飾を額に収納する説明図
【符号の説明】
【００５４】
１    押し花飾
２    ボード
３    立体層
３ａ  第１の弾性部材
３ｂ  第２の弾性部材
４    花材（植物部材）
５    葉部材（植物部材）
６    リボン（装飾部材）
７    パール（装飾部材）
８    押し花飾本体
９    枠部材
９ａ  木枠
９ｂ  マット
１０    ガラス板
１２    乾燥剤
２１    マット
５０    元のブーケ
【図１】
2007015132.tif 000003
【図２】
2007015132.tif 000004
【図３】
2007015132.tif 000005
【図４】
2007015132.tif 000006
【図５】
2007015132.tif 000007
【図６】
2007015132.tif 000008
【図７】
2007015132.tif 000009
【図８】
2007015132.tif 000010
【図９】
2007015132.tif 000011
【図１０】
2007015132.tif 000012
【図１１】
2007015132.tif 000013
【図１２】
2007015132.tif 000014
【図１３】
2007015132.tif 000015
【図１４】
2007015132.tif 000016
【図１５】
2007015132.tif 000017
【図１６】
2007015132.tif 000018